(57)【要約】【課題】地中に打ち込んだアンカーに締結した索体を、アンカーを設置するための設置孔より斜面下方において引き出したアンカー施設であって、より低コストで必要な耐力を得ることができるアンカー施設の提供。【解決手段】地中に埋設されるアンカー２と、アンカー２の上端部から地表に至る設置孔Ｈｖと、アンカー２の側面から、設置孔Ｈｖより斜面下方の地表に至る引出孔Ｈｈと、一端がアンカー２に接続され、他端は引出孔Ｈｈを通って地表に引き出される索体５と、を備えるアンカー施設。【選択図】図１
2018105000.tif 000002
【特許請求の範囲】
【請求項１】
地中に埋設されるアンカーと、
前記アンカー上端部から地表に至る設置孔と、
前記アンカー側面から、前記設置孔より斜面下方の地表に至る引出孔と、
一端が前記アンカーに接続され、他端は前記引出孔を通って地表に引き出される連結部材と、
を備えることを特徴とするアンカー施設。
【請求項２】
前記連結部材が、前記アンカーの長手方向の中央部に、または中央部から上端部までの間に接続されていることを特徴とする請求項１に記載のアンカー施設。
【請求項３】
前記設置孔に充填物が充填されていることを特徴とする請求項１または請求項２に記載のアンカー施設。
【請求項４】
前記連結部材が、索体又は棒状部材であることを特徴とする請求項１から請求項３の何れかに記載のアンカー施設。
【請求項５】
前記引出孔が、地表から前記アンカーへ向かって下り傾斜で形成され、前記引出孔に充填物が充填されていることを特徴とする請求項４に記載のアンカー施設。
【請求項６】
請求項１から請求項５の何れかに記載のアンカー施設の形成方法であって、
前記アンカーがパイプアンカーであり、
ボーリングマシンのドリルビットに前記パイプアンカーを取り付けた状態で、前記ドリルビットによる掘削に伴い、前記パイプアンカーを地中に埋めるステップと、
前記パイプアンカーの上部に、ガイドパイプを配し、当該ガイドパイプと前記パイプアンカーの掘削方向の相対位置のずれを規制するステップと、
前記ドリルビットによるさらなる掘削に伴い、前記パイプアンカーと前記ガイドパイプを埋め込むことにより、所定の深さまで前記パイプアンカーを埋め込むステップと、
前記ガイドパイプを抜き去ることで前記設置孔を形成するステップと、
を備えることを特徴とするアンカー施設の形成方法。
【発明の詳細な説明】
【技術分野】
【０００１】
本発明は、傾斜地等において用いられるアンカー施設及びこれの形成方法に関する。
【背景技術】
【０００２】
傾斜地等において何らかの施設を設置する際には、当該施設を固定もしくは支持するための耐力を得るために、各種のアンカーが使用されている。
一般的なアンカーは、打ち込んだアンカーの地表に出ている頭部に対して、支持すべき施設等に直接若しくはワイヤーロープ等を介して締結することにより、当該施設を固定もしくは支持するための耐力を得るものである。
これに対し、特許文献１には、打ち込んだアンカーの中央部または中央部から先端部の間において、ロープを締結し、当該ロープを水平方向（アンカー頭部に対して斜面下方）に引き出すようにした技術が開示されている。
【先行技術文献】
【特許文献】
【０００３】
【特許文献１】特開２００９−１０２９８２
【発明の概要】
【発明が解決しようとする課題】
【０００４】
特許文献１によって開示される技術によれば、ロープが、打ち込んだアンカーの中央部または中央部から先端部の間に締結されるため、地表に出ているアンカーの頭部に対して締結する場合に比べて、高い耐力を得ることができる。図１１（ａ）に示したように、地表の頭部にロープを締結する場合、地表付近の土壌に対してアンカーを支えるための力が大きくかかり、地表付近の土壌がゆるいと大きな耐力を得ることができない。これに対し、図１１（ｂ）に示したように、打ち込んだアンカーの中央部から先端部の間にロープを締結することで、より多くの土量により且つ地中の締まった土壌によりアンカーを支えることができるため、高い耐力を得ることができるものである。
【０００５】
本発明は、地中に打ち込んだアンカーに締結した索体を、アンカーを設置するための設置孔より斜面下方において引き出したアンカー施設であって、より低コストで必要な耐力を得ることができるアンカー施設を提供することを目的とする。
【課題を解決するための手段】
【０００６】
（構成１）
地中に埋設されるアンカーと、前記アンカー上端部から地表に至る設置孔と、前記アンカー側面から、前記設置孔より斜面下方の地表に至る引出孔と、一端が前記アンカーに接続され、他端は前記引出孔を通って地表に引き出される連結部材と、を備えることを特徴とするアンカー施設。
【０００７】
（構成２）
前記連結部材が、前記アンカーの長手方向の中央部に、または中央部から上端部までの間に接続されていることを特徴とする構成１に記載のアンカー施設。
【０００８】
（構成３）
前記設置孔に充填物が充填されていることを特徴とする構成１または構成２に記載のアンカー施設。
【０００９】
（構成４）
前記連結部材が、索体又は棒状部材であることを特徴とする構成１から構成３の何れかに記載のアンカー施設。
【００１０】
（構成５）
前記引出孔が、地表から前記アンカーへ向かって下り傾斜で形成され、前記引出孔に充填物が充填されていることを特徴とする構成４に記載のアンカー施設。
【００１１】
（構成６）
構成１から構成５の何れかに記載のアンカー施設の形成方法であって、前記アンカーがパイプアンカーであり、ボーリングマシンのドリルビットに前記パイプアンカーを取り付けた状態で、前記ドリルビットによる掘削に伴い、前記パイプアンカーを地中に埋めるステップと、前記パイプアンカーの上部に、ガイドパイプを配し、当該ガイドパイプと前記パイプアンカーの掘削方向の相対位置のずれを規制するステップと、前記ドリルビットによるさらなる掘削に伴い、前記パイプアンカーと前記ガイドパイプを埋め込むことにより、所定の深さまで前記パイプアンカーを埋め込むステップと、前記ガイドパイプを抜き去ることで前記設置孔を形成するステップと、を備えることを特徴とするアンカー施設の形成方法。
【発明の効果】
【００１２】
本発明のアンカー施設によれば、地中に埋設されるアンカーと、当該アンカーから地表に至る設置孔が形成される（即ち、アンカーから地表までにはアンカーが無い）ため、必要な耐力を有するアンカー施設を適切なコストにて形成することができる。
【図面の簡単な説明】
【００１３】
【図１】本発明に係る実施形態のアンカー施設の設置状態を示す概略図
【図２】本発明に係る実施形態のアンカー施設の施工を説明するための説明図
【図３】アンカーの打ち込みに使用するボーリングマシンを示す図
【図４】アンカーの打ち込みに使用するボーリングマシンのドリルビット部分を示す図
【図５】ガイドパイプ浮上防止金具を示す図
【図６】アンカー打ち込みの概略説明図
【図７】ボーリングロッドに設けられる芯出し材を示す図
【図８】アンカーに対するワイヤーロープの接続を説明するための説明図
【図９】本発明に係るアンカー施設の他の例を示す概略図
【図１０】アンカーに対するワイヤーロープの接続の別の例を説明するための説明図
【図１１】従来技術を説明するための概略図
【発明を実施するための形態】
【００１４】
以下、本発明の実施態様について、図面を参照しながら具体的に説明する。なお、以下の実施態様は、本発明を具体化する際の一形態であって、本発明をその範囲内に限定するものではない。
【００１５】
図１は、本発明に係るアンカー施設１００を説明するための概略図である。
図に示されるように、アンカー施設１００は、地中に埋設されるアンカー２と、当該アンカー２の上端部から地表に至る設置孔Ｈｖと、アンカー２側面から設置孔Ｈｖより斜面下方の地表に至る引出孔Ｈｈと、一端がアンカー２に接続され、引出孔Ｈｈを通って地表に引き出されるワイヤーロープ（連結部材である索体）５と、を備える。即ち、アンカー２は、地中に完全に埋設されるものであり、従って、地中のより締まった土壌部（上部の土壌の重さにより圧密された土壌等）にアンカー２が配置される。
アンカー施設１００は、地表に引き出されたワイヤーロープ（連結部材である索体）５によって、他の施設（例えば雪崩防止柵等）を固定若しくは支持するものである。
【００１６】
アンカー施設１００の施工は、先ず図２に示されるように、設置箇所における測量等により、設置孔Ｈｖ及び引出孔Ｈｈの穿設位置・方向を決め、以下で説明するボーリングマシンを使用して設置孔Ｈｖ及び引出孔Ｈｈを形成する。そして、アンカー２の設置孔Ｈｖへの埋設と、ワイヤーロープ５の引出孔Ｈｈへの挿通とアンカー２への締結を行い、設置孔Ｈｖに充填物（グラウト材や砂等）を充填することによって行う。
なお、最終的に図１に示されるようなアンカー施設１００の施工ができればよく、各工程の前後や同時処理等があっても構わない。例えば、以下で説明するボーリングマシンによれば、設置孔Ｈｖの形成と同時にアンカー２の埋設が行われるものであるため、先に引出孔Ｈｈを形成しておき、次に設置孔Ｈｖの形成（同時にアンカー２の埋設）を行うものであるが、本発明をこれに限るものではない。
【００１７】
図３は、アンカー２として、パイプアンカーを用いる場合に好適な、パイプアンカー打ち込み用のボーリングマシンを示す図である。なお、ここでは、主に設置孔Ｈｖの形成と同時にパイプアンカー２の埋設を行う点について説明するが、前述のごとく、設置孔Ｈｖの形成（同時にアンカー２の埋設）の前に、引出孔Ｈｈを形成するものである。引出孔Ｈｈの形成については、以下で説明するボーリングマシンを使用して形成するものであってもよいし、パンチャーや専用工具を用いて形成するものであってもよい。
【００１８】
図３に示されるように、ボーリングマシン１は、架台１１と、ドリルビット駆動部（モータ）１２と、ウインチ１７と、駆動部用ウインチ１８と等を備える。なお、ボーリングマシン１自体は、従来から使用されているものと同様のものであり、例えば特開２００７−３２２５１等において開示されているものと基本的に同じものである。
ドリルビット駆動部１２は架台１１上を摺動（図では上下方向）するように構成され、駆動部用ウインチ１８によって、吊り上げ・下げをすることができる。このドリルビット駆動部１２に、ボーリングロッドを介してエアハンマ（ハンマ部）とドリルビットが取り付けられることにより、ドリルビットが回転するとともに打撃による衝撃が付与され、掘削力を得るものである。
ここでは鉛直方向にパイプアンカーを打ち込むもの（傾斜Ｓに対して垂直方向ではなく、鉛直方向）を例として説明しているが、水平方向（引出孔Ｈｈの形成）や、傾斜面に対して垂直方向等、任意の方向に掘削できることは勿論である。
ボーリングマシン１の設置においては、控えロープ（図示せず）を用いてボーリングマシン１の姿勢を安定させる。
また、図示を省略しているが、油圧モータであるドリルビット駆動部１２へ圧油を供給する油圧ユニットや、エアハンマにエアを供給するコンプレッサ等の機器も使用される。
【００１９】
後により詳細に説明するが、ボーリングマシン１のドリルビットにパイプアンカー２を取り付けた状態で、ドリルビットによる掘削に伴いパイプアンカー２を地中に埋め、さらに、パイプアンカー２の上部にガイドパイプ３を配すると共にボーリングロッドを追加しつつ、ガイドパイプ３とパイプアンカー２の掘削方向の相対位置のずれを規制しながらドリルビットによるさらなる掘削行うことを繰り返すことにより、パイプアンカー２とガイドパイプ３を埋め込む（図３（ａ））。
これにより、所定の深さまでパイプアンカー２が埋め込まれる（本実施形態では安定層Ｂに届いて埋設される）。
この状態（図３（ａ））から、ドリルビット頭部を縮径してパイプアンカー２及びガイドパイプ３から抜き、ワイヤーロープ５の引出孔Ｈｈへの挿通とアンカー２への締結を行った後に、パイプアンカー２とガイドパイプ３の内部へグラウト材（充填物）を充填し、グラウト材が固化する前にガイドパイプ３を抜くことで（図３（ｂ））、アンカー施設１００の設置が終了するものである。
【００２０】
図４は、ボーリングマシン１の、パイプアンカー２を打ち込む状態における、ドリルビット付近を示した図である。
同図に示されるように、パイプアンカー２を打ち込む状態では、埋め込む対象であるパイプアンカー２の内部に、ドリルビット１３とエアハンマ１４（及びボーリングロッド）が挿通され、パイプアンカー２の下端部からビット頭部１３１が突出する。この状態におけるビット頭部１３１の回転、及び、エアハンマ１４によって付与される衝撃によって図面の下方へと掘削をし、これによってパイプアンカー２を埋設するものである。
ビット頭部１３１は、縮径／拡径をすることが可能な構成とされており、パイプアンカー２の内部を挿通する際には、縮径することで、外形寸法がパイプアンカー２の内径より小さくなり、パイプアンカー２の下端部から突出した位置にて拡径することで、図３に示される状態となる。
パイプアンカー２の下端の内側には、リング状の部材であるシュー２９が溶接によって取り付けられており（パイプアンカーの先端部の内側に縮径部が設けられている）、シュー２９の上端部によって、ドリルビット１３の鍔部１３２と突き当たる段差部が形成される。当該構成により、回転・衝撃を与えつつ図面下方へと掘削するドリルビット１３と共に、先端部の内側に縮径部が設けられているパイプアンカー２も地中へと打ち込まれていくものである。
【００２１】
図５は、ガイドパイプ浮上防止金具を示す図である。
本実施形態では、パイプアンカー２とガイドパイプ３が連結されていない。上述のごとくパイプアンカー２は、ドリルビット１３と共に地中へと打ち込まれていくが、ガイドパイプ３は、これらのパイプアンカー２やドリルビット１３と連結されていないため、そのままでは地中への打ち込みが進まない。
ガイドパイプ浮上防止金具２７（及び係止部１５１）は、ガイドパイプ３を地中へ打ち込むための構成であり、ガイドパイプとパイプアンカーの掘削方向の相対位置のずれを規制するものである。
ガイドパイプ浮上防止金具２７は、ガイドパイプ３やパイプアンカー２の内部に挿通されるボーリングロッド１５（or１５´）が、ガイドパイプ３やパイプアンカー２の中心部に位置するように遊びを持って（回動可能、且つ、摺動可能に）保持する部材であり、ガイドパイプ３の後端部に取り付けられる。
ボーリングロッド１５´には、当該ガイドパイプ浮上防止金具２７に対して、突き当たる部材となる係止部１５１が形成される。これにより、ボーリングロッドに対する相対位置が固定される。なお、係止部１５１が形成されたロッドがボーリングロッド１５´であり、係止部１５１が無い通常のロッドをボーリングロッド１５とする。
パイプアンカー２では、ドリルビット１３、エアハンマ１４及びボーリングロッド１５（これら３つの構成を以下「掘削アッセンブリ」という。）の掘削が進むに伴いシュー２９によって先端（下端）側で引っ張られ埋設されていくものが、ガイドパイプ３では、掘削アッセンブリの掘削が進むに伴い後端（上端）側で、押込まれる形となる。
【００２２】
図６は、パイプアンカー２の打ち込み工程の概略を示す説明図である。
【００２３】
図６に示されるように、パイプアンカー２の打ち込み工程は、大まかに手順０１〜０６を有している。ここの例では、ボーリングマシン１の架台１１の長さより深い位置にパイプアンカー２を打ち込むために、ガイドパイプ３が相互に結合される分割されたガイドパイプ（３１〜３３）によって形成されるものを使用している。分割されたガイドパイプ（３１〜３３）は、基本的には単なる鋼管であるが、相互に接続できるようにネジが切ってある。即ち、各分割されたガイドパイプの上端側（若しくは下端側）において内周に雌ネジが形成されており、下端側（若しくは上端側）の外周に雄ネジが形成され、両者をねじ接合することでガイドパイプ３が形成されるものである。
【００２４】
手順０１において、先ずパイプアンカー２を埋設する。
図３、４で説明したように、パイプアンカー２の下端にシュー２９が取り付けられており、パイプアンカー２の内部を挿通されたドリルビット１３とエアハンマ１４によって斜面を鉛直方向に掘削し、この掘削に伴ってパイプアンカー２が埋設されるものである。
【００２５】
パイプアンカー２が埋設されたら、一旦掘削を停止して、上部のボーリングロッド１５をいくつか取り外してパイプアンカー２の上にガイドパイプ３１を配置ためのスペースを形成する。なお、ボーリングロッド１５は、複数の分割されたボーリングロッドをつなぐことによって、掘削の深さに応じて長さを調節することができるものである。
パイプアンカー２の上にガイドパイプ３１を配置したら、ガイドパイプ浮上防止金具２７を取り付け（予めガイドパイプ３１に取り付けておくものであって良い）、ボーリングロッド１５及びボーリングロッド１５´の取り付けを行う。ボーリングロッド１５´は図４で示したように、ガイドパイプ浮上防止金具２７に対応する位置となるように取り付ける。
【００２６】
続いて手順０２として、ガイドパイプ３１の埋設を行う。
前述したごとく、掘削アッセンブリの掘削が進むに伴って、パイプアンカー２は先端（下端）側で引っ張られ埋設され、ガイドパイプ３１は後端（上端）側で押込まれて埋設されるものである。
図６の手順０２に示されるように、ガイドパイプ３１も埋設されたら、掘削を停止して、ガイドパイプ３２を配置する。ガイドパイプ３２の配置作業は、ガイドパイプ３１の配置作業と同様であるが、ガイドパイプ３１と３２は前述のごとくネジによって螺合され、ガイドパイプ浮上防止金具２７を、ガイドパイプ３１の上端からガイドパイプ３２の上端に付け替える作業が行われる。
【００２７】
続いて手順０３として、ガイドパイプ３２の埋設を行う。
ガイドパイプ３２も埋設されたら、さらに同様の作業を繰り返すことにより、ガイドパイプ３３の埋設も行う（手順０４）。
【００２８】
ガイドパイプ３３の埋設が終わったら（即ち、パイプアンカー２が所定の深さに埋設されたら）、ビット頭部１３１を縮径し、掘削アッセンブリを、パイプアンカー２及びガイドパイプ３からから抜く（手順０５）。
この状態で、ワイヤーロープ５の引出孔Ｈｈへの挿通とパイプアンカー２への締結を行った後に、パイプアンカー２とガイドパイプ３の内部へグラウト材（充填物）を充填し、グラウト材が固化する前にガイドパイプ３を抜くことにより、設置孔Ｈｖとパイプアンカー２の内部にグラウト材が充てんされた状態となり、これが固化することでアンカー施設１００の設置が終了する。なお、ガイドパイプ３の抜管は、ボーリングマシン１のウインチ１７を利用するなどして行う。
【００２９】
上述の工程における、ワイヤーロープ５のパイプアンカー２への締結は、種々の方法によるものであってよいが、その一例を図８に示した。
パイプアンカー２の側面に予めアイボルト挿通用の孔２ｈを形成しておき、前述のパイプアンカー２の打設において、孔２ｈが引出孔Ｈｈに対向するようにする。そして、図８に示されるように、プッシュロックナット４２ａが先端に溶接されたＰＬナット挿入部材４２を、設置孔Ｈｖからおろし（ガイドパイプ３及びパイプアンカー２の中を通し）つつ、ワイヤーロープ５を締結したアイボルト４１を引出孔Ｈｈから挿入し、プッシュロックナット４２ａにアイボルト４１を押し込んでロックする。なお、ワイヤーロープ５を締結したアイボルト４１を引出孔Ｈｈから挿入する作業は適当なジグ（棒状の部材など）を用いて行うとよい。
【００３０】
ワイヤーロープ５とパイプアンカー２の締結方法の別の一例を図１０に示した。
この例では、ワイヤーロープ５の先端をアイ加工してアイ５１を形成し、パイプアンカー２の側面には予めアイ５１挿通用の孔を形成しておく。
前述のパイプアンカー２の打設において、孔２ｈが引出孔Ｈｈに対向するようにする。そして、図１０に示されるように、ワイヤーロープ５のアイ５１をパイプアンカー２の孔２ｈに通し、係止部材（フック４３１が形成された棒部材）４３を、設置孔Ｈｖからおろし（ガイドパイプ３及びパイプアンカー２の中を通し）て、これをアイ５１に通す。これによって、ワイヤーロープ５がパイプアンカー２に連結される。なお、棒部材４３の長さを、設置孔Ｈｖを通しておろせる長さとすると作業としては簡便である。ただし、設置孔Ｈｖの深さは一定ではなく（現場に応じて変化する）、従って、均一な長さの棒部材４３を準備しておくことが難しい場合もある。そのような場合には棒部材４３の長さを短く形成しておき（例えば、パイプアンカー２と同等の長さ）、これを設置孔Ｈｖから下ろす際に適当なジグ（索体や棒状の部材など）を用いるようにしてもよい。
【００３１】
以上のごとく、本実施形態のアンカー施設１００によれば、必要な箇所にのみアンカー（パイプアンカー）が設置されるものであり、適切なコストにて必要な耐力を有するアンカー施設を形成することができる。即ち、図１に示されるように、パイプアンカー２が地中深く埋設され（本実施形態では安定層に到達）、当該地中の締まった土壌や安定層にパイプアンカー２を設置することで強力な耐力を得ることができ、表層付近の不安定層や比較的ゆるい土壌等、耐力への寄与が比較的小さくなる部分におけるアンカーを不要としているため、適切なコストにてアンカー施設を形成することができるものである。換言すれば、所定長のアンカーを用意し、当該所定長のアンカーによって必要な耐力が得られる深さまでアンカーを打ち込んで埋設し、これによってアンカー上端部から地表に至る設置孔が形成されているものであり、多種多様な条件に対しても、共通のアンカーで対応することが可能となるものである。（従来工法では、例えば表層付近が軟弱な地盤である場合には、アンカー自体のサイズを変える等の必要があり、各アンカーの製造・保管コストや、その搬入・設置コスト等がかかるものであった）
また、従来の杭工法のような地表面に杭頭が突出した状態にはならないため、景観を損なわず、美観に優れている。従来の杭工としての固定観念（地表から打ち込み、地表に頭が出ている）を打破した画期的なアンカー施設である。
また、本実施形態のアンカー施設の形成方法によれば、ボーリングマシンの架台の長さよりも深い位置へのパイプアンカー２の打ち込みを、最小限の機材・資材で簡便に行うことができ、人力によって機材・資材を搬入する必要がある傾斜地等において、非常に有用な工法となる。
【００３２】
なお、前述のごとく、本実施形態ではパイプアンカー２とガイドパイプ３が連結されないため、パイプアンカー２とガイドパイプ３の相対位置がずれるおそれがある。掘削方向（上下方向）については、前述のごとくボーリングロッド１５´とガイドパイプ浮上防止金具２７によって規制される。また、水平方向のずれについては、基本的に掘削によって形成された孔によって規制されるものではあるが、パイプアンカー２とガイドパイプ３の中心がずれてしまうおそれもある。そこで、図７に一例として示したように、ボーリングロッド１５に、ガイドパイプ３内においてボーリングロッドが略中心位置となるようにするための芯出し材１５２を設けるようにしてもよい。芯出し材１５２は、ガイドパイプ３の内径よりも僅かに小さい直径をもってボーリングロッド１５に固定されるものである。芯出し材１５２は、ガイドパイプ３の先端側（即ちガイドパイプ３１の先端側）に配されるようにすると効果的である。
【００３３】
本実施形態においては、図１に示されるように、ワイヤーロープ（索体）５がアンカー２の上端部に接続されるものを例としている。これにより、アンカー２がより深い地中に埋設されることとなるため、大きな耐力を有するアンカー施設を簡易に設置することができるものであるが、必要な耐力が得られるのであれば（若しくは引出孔Ｈｈの形成位置をより下げることで引出孔Ｈｈが長くなっても構わないのであれば）、例えば、ワイヤーロープ（索体）５をアンカー２の下端部に接続するものであっても構わないし、アンカー２の中央部に接続するもの等であっても構わない。中央部付近に接続した場合には、アンカー２がほぼ水平方向に引っ張られる構成となって抵抗面積が最大化されるという効果を得ることができる（上端部や下端部の場合にはアンカー２を回転させるような力が働き、アンカー２が傾くと、抵抗面積が減少する）。
【００３４】
本実施形態においては、アンカーがパイプアンカーによって形成されるものを例としたが、本発明をこれに限るものではなく、種々のアンカー（断面多角形であるものや、中空、中実であるもの等）を用いることもできる。
【００３５】
なお、引出孔Ｈｈに対しても充填物（砂やグラウト材等）を充填するようにしてもよい。この場合、引出孔Ｈｈに対する充填物の充填作業を良好なものとするために、引出孔Ｈｈを地表からアンカーへ向かって下り傾斜で形成してもよい。図９にはこのようなものの一例を示した。引出孔Ｈｈの形成においても上記で説明した設置孔Ｈｖの形成と同様に、ボーリングマシン１を用いてガイドパイプ３を使用することにより、引出孔Ｈｈにガイドパイプ３が設置される状態にて、前述のワイヤーロープ５のパイプアンカー２への締結作業（図８）や、充填物の充填作業を行うことで、効率よく作業できる。なお、引出孔Ｈｈの形成においては、パイプアンカーの設置は不要であるため、ガイドパイプ３のみを用いる（最先端のガイドパイプについて、パイプアンカーと同様にシュー２９を設ける構成としてもよい）。また、引出孔Ｈｈの傾斜角度θは、充填物の種類等に応じて、充填作業が良好となる角度に設定すればよい。
引出孔Ｈｈに充填物を充填しない場合には、引出孔Ｈｈは、実施形態（図１）のごとく略水平であってもよいし、地表からアンカーへ向かって上り傾斜で形成するようなものであってもよい。
【００３６】
本実施形態では、パイプアンカー２に一端が接続され、引出孔Ｈｈ内を通って、地表に引き出される連結部材として、索体であるワイヤーロープ５を例としているが、本発明をこれに限るものではない。連結部材として、例えば棒状の部材（棒鋼等）を用いてもよい。即ち、連結部材として、一端がパイプアンカー２に接続され、引出孔Ｈｈ内を通って他端が地表付近に引き出される棒鋼を用いてもよい。連結部材を棒状の部材とした場合の、パイプアンカーとの締結方法は、図８や図１０で説明したものと同様のものとすることができる。
地表に引き出された棒鋼等の他端側によって、直接他の施設（例えば雪崩防止柵等）を固定若しくは支持するものであってよいし、棒鋼等の他端側に索体等の連結材を締結して、当該連結材を介して他の施設を固定若しくは支持するもの等であってよい。
【符号の説明】
【００３７】
１００．．．アンカー施設
１．．．ボーリングマシン
２．．．パイプアンカー（アンカー）
３．．．ガイドパイプ
５．．．ワイヤーロープ（索体）
Ｈｖ．．．設置孔
Ｈｈ．．．引出孔
【図１】
2018105000.tif 000003
【図２】
2018105000.tif 000004
【図３】
2018105000.tif 000005
【図４】
2018105000.tif 000006
【図５】
2018105000.tif 000007
【図６】
2018105000.tif 000008
【図７】
2018105000.tif 000009
【図８】
2018105000.tif 000010
【図９】
2018105000.tif 000011
【図１０】
2018105000.tif 000012
【図１１】
2018105000.tif 000013